(57)【要約】      （修正有）【課題】高機能化および／または多機能化を実現することができる腕時計型の情報端末装置を提供する。【解決手段】本体２の一側部に収納筒４を設け、収納筒４内に、フィルム状の入出力部５を巻取り状態で収納しておき、スリット４１から引出して展開可能にするとともに、適宜入出力部５を巻き戻す機構などを設けておく。入出力部５には、形状記憶合金の裏打ちまたは枠囲い５２によって、本体５１を引出した展開状態で保持する（カールしない）ようにする。したがって、入出力部５を、手の甲や掌の上に帯状に展開した状態で、情報端末装置１としての表示および／または入力操作の一部を実現するので、情報端末装置１として、高機能および／または多機能化を実現することができ、アイコンのタッチから、ＬＩＮＥ（登録商標）やＴｗｉｔｔｅｒ（登録商標）などのＳＮＳの投稿や閲覧が容易になる。【選択図】図２
2020085841.tif 000002
【特許請求の範囲】
【請求項１】
腕時計型の情報端末装置において、
本体の一側部に設けられる収納筒と、
前記収納筒内に巻取り状態で収納され、その収納筒の軸方向に形成されたスリットから引出されることで展開され、展開状態で、前記情報端末装置としての表示および／または入力操作の一部を実現するフィルム状の入出力部とを含むことを特徴とする情報端末装置。
【請求項２】
前記入出力部における前記表示を、電子ペーパーで実現することを特徴とする請求項１記載の情報端末装置。
【請求項３】
前記入出力部における前記表示を、樹脂基板の有機ＥＬフィルムディスプレイで実現することを特徴とする請求項１記載の情報端末装置。
【請求項４】
前記本体には、アプリケーションプログラムの選択画面が表示され、前記入出力部には、前記選択画面で選択されて起動された前記アプリケーションプログラムの内容が表示されることを特徴とする請求項１〜３の何れか１項に記載の情報端末装置。
【請求項５】
前記フィルム状の入出力部は、形状記憶合金で、裏打ちまたは枠囲いされていることを特徴とする請求項１〜４の何れか１項に記載の情報端末装置。
【請求項６】
前記収納筒およびそれに収納される入出力部は、前記本体の一側部から着脱自在であることを特徴とする請求項１〜５の何れか１項に記載の情報端末装置。
【請求項７】
腕時計型の情報端末装置において、
長手フィルム状に形成され、前記情報端末装置としての表示および／または入力操作を実現する入出力部と、
正面で前記入出力部を背面から支持し、一側面から前記入出力部が引出し可能であり、内部に前記入出力部を長手方向に屈曲させて収容する収容部を有する本体と、
前記収容部内で、前記長手方向に転動自在で、その外周に前記入出力部が巻き掛けられるドラムと、
前記ドラムに対して、前記巻き掛けられた入出力部を引込む方向に張力を与える付勢手段と、
前記本体内で、前記入出力部を前記収容部から前記正面へ案内する円弧状の案内手段と、
前記収容部から案内手段を介して、前記入出力部の基端部が前記正面に臨む状態まで引出された状態で、前記付勢手段による該入出力部の引き込みを阻止するロック手段とを含むことを特徴とする情報端末装置。
【請求項８】
前記正面には、前記入出力部が露出する開口窓を形成する窓枠が設けられており、該窓枠は、前記一側面側には設けられておらず、引出された入出力部は、前記基端部側から遊端部側にかけて、連続した画面を形成することを特徴とする請求項７記載の情報端末装置。
【請求項９】
前記ドラムは、前記本体の厚み方向にずれて複数段設けられることを特徴とする請求項７または８記載の情報端末装置。
【発明の詳細な説明】
【技術分野】
【０００１】
本発明は、情報端末装置、特に腕時計型の情報端末装置に関する。
【背景技術】
【０００２】
半導体の進化などにより、腕時計のサイズに様々な機能を持たせられるようになっている。たとえば、時計としての時刻表示からの切替えで、歩数計として使用したり、多機能なものでは、心拍、血圧、血中酸素濃度などの生態情報まで取得できるようになっている。しかしながら、現状、そうして得られた情報は、操作し難く（データを得ただけで活用し難く）、スマートフォンに転送して活用しているのが実情である。
【０００３】
また、腕時計のサイズでウエアラブル端末としての機能を持たせたものもある。たとえば、電子メールの着信を知らせたり、少ない文字の範囲で表示したりするようなものである。しかしながら、画面、つまり文字盤のサイズの制約で、できることが限られている。たとえば、長いメールを見たり、ウェブの閲覧のような高度な情報の表示や、その表示画面を見たタッチパネル操作などの入力操作も困難である。
【０００４】
特許文献１には、タッチパネルによるスクロール操作で、時計表示のモード切替や、写真表示に切替えたりできる腕時計が提案されている。
【先行技術文献】
【特許文献】
【０００５】
【特許文献１】特許第５５７２７０４号公報
【発明の概要】
【発明が解決しようとする課題】
【０００６】
特許文献１は、文字盤の部分で、色々な画面を表示したり、その選択のタッチ動作を行ったりできるが、限られた文字盤の範囲で、表示や入力操作を行うので、機能的に制約がある。
【０００７】
本発明の目的は、高機能化および／または多機能化を実現することができる腕時計型の情報端末装置を提供することである。
【課題を解決するための手段】
【０００８】
本発明の腕時計型の情報端末装置は、バンドの部分を除く本体の一側部に設けられる収納筒と、前記収納筒内に巻取り状態で収納され、その収納筒の軸方向に形成されたスリットから引出されることで展開され、展開状態で、前記情報端末装置としての表示および／または入力操作の一部を実現するフィルム状の入出力部とを含むことを特徴とする。
【０００９】
上記の構成によれば、腕時計型の情報端末装置において、時計表示には通常の文字盤の大きさで所期の機能を満足できるものの、情報端末装置としては、表示および／または入力操作を不足無く実現するには、文字盤の面積だけでは困難であり、従来、実現できる機能は限られたものとならざるを得なかった。そこで本発明では、バンドが取付けられる部分を除いた本体の一側部から、前記表示および／または入力操作の一部を実現するフィルム状の入出力部を引出して使用するようにする。具体的には、前記一側部には、手首の周方向にできるだけ直線で延びる収納筒を設け、その収納筒内に、フィルム状の入出力部を、巻取り状態で収納しておく。収納筒には、軸方向にスリットを形成して、そこから前記フィルム状の入出力部を引出して展開可能にするとともに、適宜前記フィルム状の入出力部を巻き戻す機構などを設けておく。
【００１０】
したがって、フィルム状の入出力部を、手の甲や掌の上に（手先側に引出すようにした場合）、或いは腕の上に（肘側に引出すようにした場合）帯状に展開した状態で、該フィルム状の入出力部は、情報端末装置としての表示および／または入力操作の一部を実現するので、前記情報端末装置として、高機能化および／または多機能化を実現することができる。
【００１１】
また、本発明の腕時計型の情報端末装置では、前記入出力部における前記表示を、電子ペーパーで実現することを特徴とする。
【００１２】
上記の構成によれば、電子ペーパーは、薄くて軟らかい。したがって、収納筒内に巻取った状態から、スリットを通して引出して展開可能なフィルム状の入出力部として好適である。
【００１３】
さらにまた、本発明の腕時計型の情報端末装置では、前記入出力部における前記表示を、樹脂基板の有機ＥＬフィルムディスプレイで実現することを特徴とする。
【００１４】
上記の構成によれば、有機ＥＬフィルムディスプレイ、中でも樹脂基板の有機ＥＬフィルムディスプレイは、薄くて軟らかい。したがって、収納筒内に巻取った状態から、スリットを通して引出して展開可能なフィルム状の入出力部として好適である。
【００１５】
また、本発明の腕時計型の情報端末装置では、前記本体には、アプリケーションプログラムの選択画面が表示され、前記入出力部には、前記選択画面で選択されて起動された前記アプリケーションプログラムの内容が表示されることを特徴とする。
【００１６】
上記の構成によれば、小さな本体にはアプリケーションプログラムの選択画面、たとえばアイコンを表示し、大きな入出力部に、選択されたアプリケーションプログラムの詳細内容を表示することで、腕時計型の情報端末装置であっても、幅広いアプリケーションプログラムに対応することができる。
【００１７】
さらにまた、本発明の腕時計型の情報端末装置では、前記フィルム状の入出力部は、形状記憶合金で、裏打ちまたは枠囲いされていることを特徴とする。
【００１８】
上記の構成によれば、フィルム状の入出力部は、収納筒内に巻取り状態で収納されているが、形状記憶合金の裏打ちまたは枠囲いによって、それを引出した展開状態で保持される（カールしない）ことになり、使用者は引出したまま保持しておく必要が無くなる。
【００１９】
また、本発明の腕時計型の情報端末装置では、前記収納筒およびそれに収納される入出力部は、前記本体の一側部から着脱自在であることを特徴とする。
【００２０】
上記の構成によれば、展開状態で文字盤の表示領域を拡大する増設した入出力部として使用でき、前記増設したフィルム状の入出力部が不要の場合は切離すことができ、腕時計型の情報端末装置の本体単体での意匠を向上することができる。
【００２１】
さらにまた、本発明の腕時計型の情報端末装置は、長手フィルム状に形成され、前記情報端末装置としての表示および／または入力操作を実現する入出力部と、正面で前記入出力部を背面から支持し、一側面から前記入出力部が引出し可能であり、内部に前記入出力部を長手方向に屈曲させて収容する収容部を有する本体と、前記収容部内で、前記長手方向に転動自在で、その外周に前記入出力部が巻き掛けられるドラムと、前記ドラムに対して、前記巻き掛けられた入出力部を引込む方向に張力を与える付勢手段と、前記本体内で、前記入出力部を前記収容部から前記正面へ案内する円弧状の案内手段と、前記収容部から案内手段を介して、前記入出力部の基端部が前記正面に臨む状態まで引出された状態で、前記付勢手段による該入出力部の引き込みを阻止するロック手段とを含むことを特徴とする。
【００２２】
上記の構成によれば、腕時計型の情報端末装置において、時計表示には通常の文字盤の大きさで所期の機能を満足できるものの、情報端末装置としては、表示および／または入力操作を不足無く実現するには、文字盤の面積だけでは困難であり、従来、実現できる機能は限られたものとならざるを得なかった。そこで本発明では、バンドが取付けられる部分を除いた本体の一側部から、前記表示および／または入力操作を実現する長手フィルム状の入出力部を引出して使用するようにする。
【００２３】
具体的には、前記本体の正面で、通常の文字盤に相当する部分では、前記長手フィルム状の入出力部の一部分を背面から支持し、また前記本体の一側面からは前記入出力部を、その遊端側から引出し可能とし、さらに内部には前記入出力部を長手方向に屈曲させて収容する収容部を設ける。
【００２４】
そして、その収容部内には、前記長手方向に転動自在で、外周に前記長手フィルム状の入出力部が巻き掛けられるドラムと、そのドラムに対して、前記巻き掛けられた入出力部を引込む方向に張力を与える付勢手段を設ける。一方、長手フィルム状の入出力部は、その基端側が前記収容部内で固定され、遊端側にかけて、ドラムに巻き掛けられた後、前記収容部の出口から、円弧状の案内手段を介して、正面に送り込まれる。その状態では、長手フィルム状の入出力部の前記遊端部側が前記正面に臨んで、すなわち文字盤の部分だけで、前記表示および／または入力操作が行われることになる。
【００２５】
これに対して、付勢手段による付勢力に抗して、長手フィルム状の入出力部を、その遊端部側から引出すと、該入出力部の基端部側が前記正面に臨む状態となり、外部に引出された遊端部側まで、増設された入出力部を形成することができる。完全に引出された状態で、長手フィルム状の入出力部が、付勢手段による付勢力で、ドラムによって引込まれないように、ロック手段を設けておく。
【００２６】
したがって、フィルム状の入出力部を、折畳んだりせずに、ドラムと円弧状の案内手段によって、円滑に、繰出しおよび収容することができる。そして、手の甲や掌の上に（手先側に引出すようにした場合）、或いは腕の上に（肘側に引出すようにした場合）帯状に展開した状態で、該フィルム状の入出力部は、情報端末装置としての表示および／または入力操作の少なくとも一部を実現するので、前記情報端末装置として、高機能化および／または多機能化を実現することができる。
【００２７】
また、本発明の腕時計型の情報端末装置では、前記正面には、前記入出力部が露出する開口窓を形成する窓枠が設けられており、該窓枠は、前記一側面側には設けられておらず、引出された入出力部は、前記基端部側から遊端部側にかけて、連続した画面を形成することを特徴とする請求項７記載の情報端末装置。
【００２８】
上記の構成によれば、フィルム状の入出力部は、前記正面で、開口窓を形成する窓枠で支持されるが、該入出力部の引出し部分の一側面側は、前記窓枠を切欠いておく。
【００２９】
したがって、前記入出力部は、正面側に位置する基端部側から、前記手の甲などの上に引出される遊端側の部分まで、連続した画面を形成することができ、表示内容を充実することができる。
【００３０】
さらにまた、本発明の腕時計型の情報端末装置では、前記ドラムは、前記本体の厚み方向にずれて複数段設けられることを特徴とする。
【００３１】
上記の構成によれば、複数のドラムの間をフィルム状の入出力部が折返すことで、収容部に収容する該入出力部の長さ、すなわち該入出力部の繰出し長さを長くすることができる。
【発明の効果】
【００３２】
本発明の腕時計型の情報端末装置は、以上のように、バンドが取付けられる部分を除く本体の一側部に収納筒を設け、そこから、表示および／または入力操作の一部を実現するフィルム状の入出力部を引出して使用するようにする。
【００３３】
それゆえ、フィルム状の入出力部を、手の甲や掌の上に、或いは腕の上に帯状に展開した状態で、該フィルム状の入出力部は、情報端末装置としての表示および／または入力操作の一部を実現するので、前記情報端末装置として、高機能および／または多機能を実現することができる。
【００３４】
さらにまた、本発明の腕時計型の情報端末装置は、以上のように、バンドが取付けられる部分を除いた本体の一側部から、表示および／または入力操作を実現する長手フィルム状の入出力部を引出して使用するようにし、その入出力部は、本体正面の通常の文字盤に相当する部分では背面から支持し、内部の収容部では長手方向に転動自在のドラムに巻き掛けて緩やかに折返し、その収容部からは円弧状の案内手段を介して、前記正面に送り込むようにする。
【００３５】
それゆえ、フィルム状の入出力部を、折畳んだりせずに、ドラムと円弧状の案内手段によって、円滑に、繰出しおよび収容することができる。そして、手の甲や掌の上に、或いは腕の上に帯状に展開した状態で、該フィルム状の入出力部は、情報端末装置としての表示および／または入力操作の少なくとも一部を実現するので、前記情報端末装置として、高機能および／または多機能を実現することができる。
【図面の簡単な説明】
【００３６】
【図１】本発明の実施の一形態に係る腕時計型の情報端末装置の斜視図であり、腕時計としての使用時の状態を示す。
【図２】本発明の実施の一形態に係る腕時計型の情報端末装置の斜視図であり、情報端末装置としての使用時の状態を示す。
【図３】本発明の実施の他の形態に係る腕時計型の情報端末装置の斜視図である。
【図４】本発明の実施のさらに他の形態に係る腕時計型の情報端末装置の斜視図であり、腕時計としての使用時の状態を示す。
【図５】本発明の実施のさらに他の形態に係る腕時計型の情報端末装置の斜視図であり、情報端末装置としての使用時の状態を示す。
【図６】図４および図５の断面図である。
【図７】図６の他の例の模式的な断面図である。
【発明を実施するための形態】
【００３７】
（実施の形態１）
図１および図２は、本発明の実施の一形態に係る腕時計型の情報端末装置１の斜視図である。図１は腕時計としての使用時の状態を示し、図２は情報端末装置としての使用時の状態を示す。
【００３８】
情報端末装置１は、腕時計型の情報端末装置としての基本機能を有する本体２と、本体２から延びるバンド３と、本発明に係る収納筒４およびそれに収納される入出力部５とを備えて構成される。本体２は、矩形で、手首の周方向に細長く形成される。図１の例では、文字盤部分２１に、１２：３４の時刻表示を行っている。これ以外に、秒、日付、曜日、西暦などを適宜表示してもよく、またモード切替で、歩数や、図示しない生体センサで測定した血圧や心拍などを表示してもよい。基本的に、そのモード切替などは、文字盤部分２１上に設けられたタッチセンサなどを通して行われるが、本体２の側部などに、適宜、竜頭や釦などが設けられて、それらで行われてもよい。
【００３９】
そして、リスト用のバンド３が、本体２の上部（頂部）２２および下部（底部）２３から延びて形成される。図１の例では、バンド３は、コマ３１と留め部（バックル）３２とを備えて成るメタルバンドを示しているが、皮や樹脂のバンドであってもよく、また、美錠とつく棒とで長さ調整および固定を行う開放式のバンドであってもよい。
【００４０】
注目すべきは、本実施形態の情報端末装置１は、バンド３が取付けられている部分を除く本体の一側部２４に、収納筒４および入出力部５が設けられていることである。図１および図２の例では、向かって右側の一側部２４に、手首の周方向にできるだけ直線で延びる収納筒４を設け、その収納筒４内に、フィルム状の入出力部５は、巻取り状態で、図１で示すように収納されており、該収納筒４の軸方向に形成されたスリット４１から、図２において矢符６で示すように引出されることで展開される。
【００４１】
入出力部５は、図２で示すような展開状態で、情報端末装置としての表示および／または入力操作の一部を実現することができるようになっている。図２の例では、本体２の文字盤部分２１は、それぞれアプリケーションプログラムを表わす多数のアイコン２５が表示された選択画面となっており、たとえば斜線を施して示すアイコン２６が選択され、入出力部５には、選択されて起動されたアプリケーションプログラムの内容が表示される。アプリケーションプログラムの選択は、アイコン操作ではなく、たとえば音楽プレーヤーにおける選曲のように、プログラムやファイルのリストをスクロールして選択するようなものでもよい。
【００４２】
入出力部５は、フィルム状の表示装置に、透明なタッチパネルセンサを貼付けて構成される本体５１と、その外周部の枠体５２とを備えて構成される。前記フィルム状の表示装置としては、電子ペーパーや有機ＥＬフィルムディスプレイで実現することができる。有機ＥＬフィルムディスプレイの場合、樹脂基板の有機ＥＬフィルムディスプレイが好ましい。枠体５２は、形状記憶合金から成り、収納筒４から引出されることで、棒状に延びて、自己支持性を発揮する。これによって、巻取られていた入出力部５も、拡がった状態で保持され、画面が確認し易くなり、またタッチ操作が容易になる。入出力部５を拡げて保持するために、枠体５２に代えて、フィルム状の表示装置の裏面に、面一な状態を保持する形状記憶合金が裏打ちされてもよい。
【００４３】
収納筒４内で、入出力部５の端部は巻取り軸に固定され、またその巻取り軸などを介して、フレキシブル基板などで、入出力部５と本体２内の信号処理回路などとの通信が行われる。前記巻取り軸には、たとえばブラインドに用いられる機構で、図示しないロック機構が設けられており、入出力部５の全長が引出されると、その引出し状態でロックし、もう１度引出されると、ロックを解除して巻取りを行うようになっている。
【００４４】
ここで、腕時計型の情報端末装置は、半導体の進化などにより、現状、腕時計としてのサイズに埋め込むことができる機能としては、メールの受信やウェブの閲覧などは、問題ないレベルにある。しかしながら、情報端末装置としての表示および／または入力操作を、不足無く実現できるレベルではない。そのような表示および／または入力操作には、文字盤２１の面積だけでは困難であり、現状、実現できる機能は限られたものとならざるを得ない。たとえば、メールでも、全文を読めなかったりする。
【００４５】
これに対して、本実施形態の情報端末装置１は、本体２の一側部２４に収納筒４を設け、その収納筒４内に、フィルム状の入出力部５を、巻取り状態で収納しておき、スリット４１から引出して展開可能にするとともに、適宜前記フィルム状の入出力部５を巻き戻す機構などを設けておく。これによって、たとえば文字盤部分２１の面積が１．９インチとして、入出力部５によって、それを３倍に拡大すると、５．７インチとなって、小さなスマートフォンサイズとなる。
【００４６】
したがって、フィルム状の入出力部５を、手の甲や掌の上に（図１および図２のように手先側に引出すようにした場合）、或いは腕の上に（図１および図２とは逆に肘側に引出すようにした場合）帯状に展開した状態で、該フィルム状の入出力部５は、情報端末装置としての表示および／または入力操作の少なくとも一部を実現するので、前記情報端末装置として、高機能化および／または多機能化を実現することができる。たとえば、腕時計型の情報端末装置１でも、ＬＩＮＥ（登録商標）やＴｗｉｔｔｅｒ（登録商標）などのＳＮＳの投稿や閲覧が容易になる。
【００４７】
本体２は、携帯電話のネットワークに接続（アクセス）されて、前記アプリケーションプログラムの内容、たとえばニュースやメールなどを入手するようにしてもよい。また、そのようなアプリケーションプログラムの内容の取得のために、或いはマスターとなるスマートフォンとの通信のために、所謂Wi-Fi（登録商標、IEEE 802.11規格）や、Bluetooth（登録商標、IEEE 802.15規格）などの近距離の無線ＬＡＮ回線で接続されてもよい。
【００４８】
なお、バンド３としては、図１および図２で示すような手首の全周方向に延びて巻付くバンドやベルトだけでなく、本体２を加えて、ブレスレットのような一体形のものでもよく、その場合、手首の全周に巻付くものでなくてもよい（一部が切れていてもよい）。
【００４９】
また、本発明の情報端末装置１は、入出力部５における表示に、薄くて軟らかい電子ペーパーを使用するので、収納筒４内に巻取った状態から、スリット４１を通して引出して展開可能なフィルム状の入出力部として好適である。或いは、入出力部５における表示に、有機ＥＬフィルムディスプレイの中でも薄くて軟らかい樹脂基板の有機ＥＬフィルムディスプレイを使用するので、収納筒４内に巻取った状態から、スリット４１を通して引出して展開可能なフィルム状の入出力部として好適である。なお、文字盤に電子ペーパーを利用することで、該文字盤の絵柄を変えられるようにした腕時計も商品化されているが、文字盤の変化だけで、本実施形態の補助の入出力部５を設けるような発想は無い。
【００５０】
さらにまた、本実施形態の腕時計型の情報端末装置１は、小さな本体２にはアプリケーションプログラムの選択画面、たとえばアイコン２４，２５を表示し、大きな入出力部５に、選択されたアプリケーションプログラムの詳細内容を表示するので、腕時計型の情報端末装置であっても、幅広いアプリケーションプログラムに対応することができる。
【００５１】
また、本実施形態の腕時計型の情報端末装置１では、収納筒４内に巻取り状態で収納されるフィルム状の入出力部５に、形状記憶合金の裏打ちまたは図２で示すように、枠囲い（５２）によって、それを引出した展開状態で保持する（カールしない）ようにするので、使用者は引出したまま保持しておく必要が無くなる。
【００５２】
（実施の形態２）
図３は、本発明の実施の他の形態に係る腕時計型の情報端末装置１ａの斜視図である。この情報端末装置１ａは、図１および図２で示す情報端末装置１に類似し、対応する部分には同一の参照符号を付して、その説明を省略する。注目すべきは、この情報端末装置１ａでは、収納筒４ａおよびそれに収納される入出力部５が、本体２ａの一側部２４から着脱自在であることである。そうすることで、フィルム状の入出力部５は、図２のように展開状態で、文字盤部分２１の面積を拡大する増設した入出力部として使用でき、不要の場合は切離すことで、腕時計型の情報端末装置１ａの本体２ａ単体での意匠を向上することができる。
【００５３】
図３の例では、収納筒４ａを本体２ａからマグネットで着脱する例を示しており、一側部２４に略等間隔で、３つの磁石または磁性体７１，７２，７３が設けられている。対応して、収納筒４ａの側面４２にも、磁石または磁性体が設けられている。磁石または磁性体として、本体２ａ側と収納筒４ａ側との両方が、互いに吸着する逆極性の磁石であってもよく、或いは一方が磁石で、他方がそれに吸着する鉄板などの磁性体であってもよい。
【００５４】
また、本体２ａの一側部２４には、連動接点７４，７５，７６が設けられており、収納筒４ａの側面４２にも対応する接点が設けられている。たとえば、連動接点７４，７６が電源供給で、連動接点７５が通信用である。この場合、入出力部５の側には、前記本体５１の表示装置やタッチパネルセンサの駆動用の集積回路が必要になるが、接点数を多くして、それらを本体２側から直接駆動するようにして、本体５１側に特別な回路を設けないようにしてもよい。
【００５５】
そして、連動接点７４，７５，７６が衝撃などで外れないように、磁石または磁性体７１，７２，７３には、強力なネオジウム磁石が好適である。また、収納筒４ａを本体２ａにビスで着脱可能としたり、凹凸の嵌め合わせでスライド式に着脱可能にするなど、不所望に外れないようにできればよい。
【００５６】
（実施の形態３）
図４および図５は、本発明の実施のさらに形態に係る腕時計型の情報端末装置１ｂの斜視図である。図１および図２と同様に、図４は腕時計としての使用時の状態を示し、図５は情報端末装置としての使用時の状態を示す。この情報端末装置１ｂも、図１および図２で示す情報端末装置１に類似し、対応する部分には同一の参照符号を付して、その説明を省略する。
【００５７】
注目すべきは、この情報端末装置１ｂでは、入出力部５ｂは、前述の収納筒４ではなく、本体２ｂ内に収容され、その一側部２４から引出されることである。図６は、情報端末装置１ｂの断面図であり、図６（ａ）は図４の腕時計としての使用時の状態、すなわち入出力部５ｂを収容した状態を示し、図６（ｂ）は図５の情報端末装置としての使用時の状態、すなわち入出力部５ｂを引出した状態を示す。入出力部５ｂは、長手フィルム状に形成される本体５１の遊端部５３に、剛性の枠体５２ｂを貼付けて構成される。
【００５８】
一方、本体２ｂは、正面の通常の文字盤部分２１で前記入出力部５ｂを背面から支持する支持部材８１を有し、その支持部材８１の前述の一側部２４側から、入出力部５ｂが引出される。また、本体２ｂの内部には、前記入出力部５ｂを長手方向に屈曲させて収容する収容部８２を有する。収容部８２内には、前記長手方向に転動自在で、その外周に前記入出力部５ｂが巻き掛けられるドラム８３と、ドラム８３に対して、前記巻き掛けられた入出力部５ｂを引込む方向に張力を与える付勢手段８４が設けられている。収容部８２は、ドラム８３が転動可能な、長い小判形の断面形状を有する。付勢手段８４は、図６の例では、引張りバネである。
【００５９】
具体的に図６の例では、入出力部５ｂの基端部５４は、収容部８２内で、支持部材８１の背面側で、本体２ｂの他側部２７側に固定され、本体２ｂ側の回路と接続される。そして、支持部材８１の背面側を一側部２４側に引き回され、ドラム８３に巻き掛けられて方向転換した後、他側部２７側に引き戻され、収容部８２の出口から前述の支持部材８１の正面側へ、円弧状の案内手段８５によって案内される。そして、付勢手段８４によって、ドラム８３が一側部２４側に付勢されているので、入出力部５ｂは、図６（ａ）で示すように引き戻され、本体２ｂの正面には、入出力部５ｂの遊端部５３側が露出している。すなわち文字盤部分２１だけで、表示および／または入力操作が行われることになる。これに対して、付勢手段８４の付勢力に抗して、入出力部５ｂが、図６（ｂ）で示されるように引出されると、基端部５４側が前記正面に臨むようになり、該入出力部５ｂは、長手状に引出され、切れ目の無い一連の画面を形成する。
【００６０】
また、本体２ｂには、図６（ｂ）で示すように完全に引出された状態で、付勢手段８４による入出力部５ｂの引き込みを阻止するロック手段８６が設けられている。図６の例では、ロック手段８６は、ピンであり、引出し状態で、本体５１に形成された孔５５に嵌り込む。
【００６１】
このように構成することで、フィルム状の入出力部５ｂを、折畳んだりせずに、ドラム８３と円弧状の案内手段８５とによって、本体２ｂの一側部２７から、円滑に、繰出しおよび収容することができる。そして、手の甲や掌の上に（手先側に引出すようにした場合）、或いは腕の上に（肘側に引出すようにした場合）帯状に展開した状態で、該フィルム状の入出力部５ｂは、情報端末装置としての表示および／または入力操作の少なくとも一部を実現するので、情報端末装置として、高機能化および／または多機能化を実現することができる。
【００６２】
そして、その引出し、引戻しを案内するために、入出力部５ｂのフィルム状の本体５１の端縁は、窓枠２８で支持される。窓枠２８は、前記の文字盤部分２１を開口窓とするものであり、本体５１の幅方向の両側部および本体２ｂの他側部２７側（案内手段８５の出口側）の３辺を支持するもので、図６（ａ）で示す入出力部５ｂの収容状態で、残りの１辺を形成する枠体５２ｂと連続する。この窓枠２８が一側面２４側に設けられていない（切欠いておく）ことで、図６（ｂ）で示すように引出された入出力部５ｂは、上述のように、基端部５４側から遊端部５３側にかけて、連続した画面を形成することができる。これによって、入出力部５ｂは、正面側に位置する基端部５４側から、手の甲などの上に引出される遊端部５３側の部分まで、連続した画面を形成することができ、表示内容を充実することができる。枠体５２ｂは、入出力部５ｂを引出す際の持ち手となる。
【００６３】
ここで、上述の情報端末装置１ｂでは、ドラム８３は１個であったが、数を増やす程、本体２ｂの幅は同じで、繰出すことができる入出力部５ｂの長さは長くすることができる。そこで、図７で示すように、ドラム８３を複数段設けるようにしてもよい。図７（ａ）および図７（ｂ）は、それぞれ図６（ａ）および図６（ｂ）に対応する模式的な断面図である。図７の例では、収容部８２の厚さ方向にずれて配置されるドラム８３１，８３２，８３３の３つとしており、それらの間にジグザグに、入出力部５ｂが巻き掛けられる。一側部２４側のドラム８３１，８３３は、その回転軸がバー８７で連結されて、そのバー８７に付勢手段８４が連結される。対向する他側部２７側のドラム８３２は転動せず、固定位置に枢支された回転軸回りに回転のみを行う。
【００６４】
図７の例では、３つのドラム８３１，８３２，８３３は、該ドラムの高さ分ずれて配列されておらず、すなわち図７（ｂ）で示すように、入出力部５ｂの全長を繰出した状態でも該ドラム８３１，８３２，８３３は収容部８２の厚さ方向に１列に並ばず、中段のドラム８３２は上端のドラム８３１と下段のドラム８３３の回転軸間の高さに配置されている。これによって、入出力部５ｂの繰出し長さは若干短くなるものの、本体２ｂの厚みを、このドラム８３２の１個分近く薄くすることができる。
【符号の説明】
【００６５】
１，１ａ，１ｂ    腕時計型の情報端末装置
２，２ａ，２ｂ    本体
２１    文字盤部分
２２    上部（頂部）
２３    下部（底部）
２４    一側部
２５，２６    アイコン
２７    他側部
２８    窓枠
３    バンド
３１    コマ
３２    留め部（バックル）
４，４ａ    収納筒
４１    スリット
４２    側面
５，５ｂ    入出力部
５１    本体
５２    枠体
５２ｂ  枠体
５３    遊端部
５４    基端部
５５    孔
７１，７２，７３    磁石または磁性体
７４，７５，７６    連動接点
８１    支持部材
８２    収容部
８３    ドラム
８３１，８３２，８３３    ドラム
８４    付勢手段
８５    案内手段
８６    ロック手段
８７    バー
【図１】
2020085841.tif 000003
【図２】
2020085841.tif 000004
【図３】
2020085841.tif 000005
【図４】
2020085841.tif 000006
【図５】
2020085841.tif 000007
【図６】
2020085841.tif 000008
【図７】
2020085841.tif 000009
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
腕時計型の情報端末装置において、
長手フィルム状に形成され、前記情報端末装置としての表示および／または入力操作を実現する入出力部と、
正面で前記入出力部を背面から支持し、一側面から前記入出力部が引出し可能であり、内部に前記入出力部を長手方向に屈曲させて収容する収容部を有する本体と、
前記収容部内で、前記長手方向に転動自在で、その外周に前記入出力部が巻き掛けられるドラムと、
前記ドラムに対して、前記巻き掛けられた入出力部を引込む方向に張力を与える付勢手段と、
前記本体内で、前記入出力部を前記収容部から前記正面へ案内する円弧状の案内手段と、
前記収容部から案内手段を介して、前記入出力部の基端部が前記正面に臨む状態まで引出された状態で、前記付勢手段による該入出力部の引き込みを阻止するロック手段とを含むことを特徴とする情報端末装置。
【請求項２】
前記正面には、前記入出力部が露出する開口窓を形成する窓枠が設けられており、該窓枠は、前記一側面側には設けられておらず、引出された入出力部は、前記基端部側から遊端部側にかけて、連続した画面を形成することを特徴とする請求項１記載の情報端末装置。
【請求項３】
前記ドラムは、前記本体の厚み方向にずれて複数段設けられることを特徴とする請求項１または２記載の情報端末装置。